(57)【要約】【目的】  簡単なハードウェア構成で２種類の映像を同時に表示できるようにした「ビデオRAMのカラー画像書込方法」を提供することである。【構成】  各ピクセルが二組の赤、緑、青の色ピクセルで構成されたディスプレイデバイスに２種類の映像を同時に表示する表示装置におけるビデオRAMのカラー画像書込方法である。各ピクセルを構成する６個の色ピクセルのうち、第1画像信号により駆動される色ピクセルの色順で第1のビデオRAMの各ピクセルに第１映像信号のＲ，Ｇ，Ｂカラー画像データを書込み、同様に1ピクセルを構成する６個の色ピクセルのうち、第２画像信号により駆動される色ピクセルの色順で第２のビデオRAMの各ピクセルに第２映像信号のＲ，Ｇ，Ｂカラー画像データを書込む。【選択図】        図１
2006163029.tif 000002
【特許請求の範囲】
【請求項１】
行および列方向に連続的に配列された各ピクセルが二組の赤、緑、青の色ピクセルで構成されたディスプレイデバイスに、２種類の映像を同時に表示する表示装置におけるビデオRAMのカラー画像書込方法において、
1ピクセルを構成する６個の色ピクセルのうち、第1画像信号により駆動される色ピクセルの色順で第1のビデオRAMの各ピクセルに第１画像信号のＲ，Ｇ，Ｂカラー画像データを書込み、
前記1ピクセルを構成する６個の色ピクセルのうち、第２画像信号により駆動される色ピクセルの色順で第２のビデオRAMの各ピクセルに第２画像信号のＲ，Ｇ，Ｂカラー画像データを書込む、
ことを特徴とするビデオRAMのカラー画像書込方法。
【請求項２】
第１、第２のビデオRAMから順番にカラー画像データを読み出し、該第１、第２のビデオRAMから読み出したカラー画像データで交互にディスプレイデバイスの６個の色ピクセルを駆動する、
ことを特徴とする請求項1記載のビデオRAMのカラー画像書込方法。
【請求項３】
前記第1の画像信号により駆動される色ピクセルの順番がＲ，Ｂ，Ｇであれば、第1のビデオRAMの各ピクセルに第１画像信号のカラー画像データをＲ，Ｂ，Ｇの順番で書込み、前記第２の画像信号により駆動される色ピクセルの順番がＧ，Ｒ，Ｂであれば、第２のビデオRAMの各ピクセルに第２画像信号のカラー画像データをＧ，Ｒ，Ｂの順番で書込む、
ことを特徴とする請求項１記載のビデオRAMのカラー画像書込方法。
【発明の詳細な説明】
【技術分野】
【０００１】
本発明はビデオRAMのカラー画像書込方法に係わり、特に、行および列方向に連続的に配列された各ピクセルが二組の赤、緑、青の色ピクセルで構成されたディスプレイデバイスに２種類の映像を同時に表示する表示装置におけるビデオRAMのカラー画像書込方法に関する。
【背景技術】
【０００２】
２種類の映像を、同時に同一画面に表示することができる表示装置がある(特許文献１，２参照)。図２はかかる表示装置の説明図であり、白黒表示の例である。なお、説明の都合で水平方向のピクセル数を８個としている。
映像信号を表示する液晶デバイスなどの表示体１は、ピクセルが行および列方向に連続的に配列されており、各ピクセルは左側観察者用の第１の映像を表示する第1のサブピクセ１Ｌと、右側観察者用の第２の映像を表示する第２のサブピクセル１Ｒとで構成され、これら第1、第２のサブピクセル１Ｌ，１Ｒは水平方向に交互に配列するようになっている。レンチキュラーレンズ２は表示体１から適正距離上に配置され、左右両観察領域３Ｌ，３Ｒの方向に、左側観察者用の第１の映像、および右側観察者用の第２の映像をそれぞれ結像するようになっている。
【０００３】
第１の映像出力部４は左側観察者用の第１の映像データを発生し、第２の映像出力部５は右側観察者用の第２の映像データを発生し、表示データ処理部６は、第1、第２の映像データを処理し、第１の映像データにより表示体１の第1のサブピクセル１Ｌをラスタースキャン駆動し、第２の映像データにより表示体の第２のサブピクセル１Rをラスタースキャン駆動するようになっている。この結果、表示体1の第1サブピクセル１Ｌに第1の映像が表示され、第２サブピクセル１Ｒに第２の映像が表示され、レンチキュラーレンズ２の作用で、左側観察領域３Ｌの観察者は第1サブピクセル１Ｌに表示された第1の映像を見ることができ、右側観察領域３Ｒの観察者は第２サブピクセル１Ｒに表示された第２の映像を見ることができる。
【０００４】
図２は表示体が白黒映像を表示する場合であるが、カラー映像を表示する場合には、ディスプレイデバイス１１は、図３に示すようにピクセル１２が行および列方向に連続的に配列されており、各ピクセルは、第1のサブピクセル１２ａと第2のサブピクセル１２ｂととで構成され、更に、各サブピクセルは赤、緑、青の色ピクセル１３Ｒ，１３Ｇ，１３Ｂでそれぞれ構成され、1ピクセルは6個の色ピクセルで構成される。
第１サブピクセル１２ａの赤、青の色ピクセル１３Ｒ，１３Ｂと第２サブピクセル１２ｂの緑の色ピクセル１３Ｇは第１映像信号のカラー画像データにより駆動され、第１サブピクセル１２ａの緑の色ピクセル１３Ｇと第２サブピクセル１２ｂの赤、青の色ピクセル１３Ｒ，１３Ｂは第２映像信号のカラー画像データにより駆動され、1ピクセル毎にこれら色ピクセルが左方向からＲ，Ｇ，Ｂ，Ｒ，Ｇ，Ｂの順番に駆動され、スクリーン全体でラスタスキャンされるようになっている。
【０００５】
図4は従来の２種類の映像を同時に表示する表示装置の構成図であり、第1映像信号はＤＶＤから読み取ったＤＶＤ映像信号であり、第2の映像信号はナビゲーション装置から出力されるナビゲーション映像信号であり、表示装置は、例えば車室内のダッシュボードの中央に嵌め込まれ、左側観察者（助手席搭乗者）はＤＶＤ映像を見ることができ、右側観察者（運転者）はナビゲーション映像を見ることができるようになっている。
レンチキュラーレンズ２１は、２つの色ピクセルを組にしたとき、左側観察者(助手席搭乗者)が左のピクセルを見ることができるように、右側観察者(助手席搭乗者)が右のピクセルを見ることができるように作用する。
【０００６】
第１のＲＧＢデコーダ３１は第１画像発生部（DVD映像発生部）３０から出力するＤＶＤ映像信号をデコードしてピクセル毎にＲ，Ｇ，Ｂの8ビットのカラー画像データを発生し、書込み部３２は該カラー画像データをピクセル毎にＲ，Ｇ，Ｂの順番で第1のビデオRAM（VRAM）３３に書込み、全体的にラスタースキャン順に書込む。第２のＲＧＢデコーダ４１は第２画像発生部（ナビゲーション映像発生部）４０から出力するナビゲーション映像信号をデコードしてピクセル毎にＲ，Ｇ，Ｂの8ビットのカラー画像データを発生し、書込み部４２は該カラー画像データをピクセル毎にＲ，Ｇ，Ｂの順番で第２のビデオRAM４３に書込み、全体的にラスタースキャン順に書込む。
並び替部３５は第１、第２のVRAM読取部３４，４４を制御し、丸付き数字の番号順にビデオRAM３３，３４から交互にカラー画像データを読み出して図示しない駆動部により表示体１１の１ピクセル当り6個のカラー画像データを左側の色ピクセルからＲＧＢＲＧＢの順番に駆動し、表示体２１の全ピクセルをラスタースキャンにより駆動する。
【特許文献１】特開平９−４６６２２号公報
【特許文献２】特開２００４−２０６０８９号公報
【発明の開示】
【発明が解決しようとする課題】
【０００７】
従来技術において第１、第２VRAM読取部３４、４４は交互に丸付き数字順にデータを読み取り、該読み取ったデータを丸付き数字順に表示体駆動部に入力してラスタースキャン駆動しなければならない。このため、並び替え部３５は第１ビデオRAM読取部３４の読取アドレスを発生するアドレス発生制御、第２ビデオRAM読取部４４の読取アドレスを発生するアドレス発生制御が煩雑になり、ハードウェアが複雑になる問題がある。
以上から本発明の目的は、簡単なハードウェア構成で２つのビデオRAM(VRAM)から交互に所定の順序でデータを読み取り、該読み取ったデータを該所定の順序で表示体駆動部に入力してラスタースキャン駆動できるようにすることである。
【課題を解決するための手段】
【０００８】
上記課題は本発明によれば、行および列方向に連続的に配列された各ピクセルが二組の赤、緑、青の色ピクセルで構成されたディスプレイデバイスに、２種類の映像を同時に表示する表示装置のビデオRAMのカラー画像書込方法において、(1) 1ピクセルを構成する６個の色ピクセルのうち、第1画像信号により駆動される色ピクセルの色順で第1のビデオRAMの各ピクセルに第１画像信号のＲ，Ｇ，Ｂカラー画像データを書込み、(2) 前記1ピクセルを構成する６個の色ピクセルのうち、第２画像信号により駆動される色ピクセルの色順で第２のビデオRAMの各ピクセルに第２画像信号のＲ，Ｇ，Ｂカラー画像データを書込むビデオRAMのカラー画像書込方法により達成される。例えば、第1の画像信号により駆動される色ピクセルの順番がＲ，Ｂ，Ｇであれば、第1のビデオRAMの各ピクセルに第１画像信号のカラー画像データをＲ，Ｂ，Ｇの順番で書込み、前記第２の画像信号により駆動される色ピクセルの順番がＧ，Ｒ，Ｂであれば、第２のビデオRAMの各ピクセルに第２画像信号のカラー画像データをＧ，Ｒ，Ｂの順番で書込む。
ビデオRAMからの読出しは、第１、第２のビデオRAMから順番にカラー画像データを読み出し、該第１、第２のビデオRAMから読み出したカラー画像データで交互にディスプレイデバイスの６個の色ピクセルを駆動する。
【発明の効果】
【０００９】
本発明によれば、1ピクセルを構成する６個の色ピクセルのうち、第1画像信号により駆動される色ピクセルの色順で第1のビデオRAMの各ピクセルに第１画像信号のＲ，Ｇ，Ｂカラー画像データを書込み、前記1ピクセルを構成する６個の色ピクセルのうち、第２画像信号により駆動される色ピクセルの色順で第２のビデオRAMの各ピクセルに第２画像信号のＲ，Ｇ，Ｂカラー画像データを書込み、読出しに際して、第１、第２のビデオRAMから順番にカラー画像データを読み出し、該第１、第２のビデオRAMから読み出したカラー画像データにより交互にディスプレイデバイスの６個の色ピクセルを駆動するようにしたから、読出し制御を簡単でき、結果的に簡単なハードウェア構成で２つのビデオRAMから交互にデータを読み取ってラスタースキャン駆動ができる。
【発明を実施するための最良の形態】
【００１０】
本発明は、行および列方向に連続的に配列された各ピクセルが第1のサブピクセルと第2のサブピクセルとで構成され、各サブピクセルが赤、緑、青の色ピクセルで構成されたディスプレイデバイスに、２種類の映像を同時に表示する表示装置のビデオRAMのカラー画像書込方法である。1ピクセルを構成する６個の色ピクセルのうち、第1画像信号により駆動される色ピクセルの色順で第1のビデオRAMの各ピクセルに第１画像信号のＲ，Ｇ，Ｂカラー画像データを書込み、前記1ピクセルを構成する６個の色ピクセルのうち、第２画像信号により駆動される色ピクセルの色順で第２のビデオRAMの各ピクセルに第２画像信号のＲ，Ｇ，Ｂカラー画像データを書込む。例えば、第1の画像信号により駆動される色ピクセルの順番がＲ，Ｂ，Ｇであれば、第1のビデオRAMの各ピクセルに第１画像信号のカラー画像データをＲ，Ｂ，Ｇの順番で書込み、前記第２の画像信号により駆動される色ピクセルの順番がＧ，Ｒ，Ｂであれば、第２のビデオRAMの各ピクセルに第２画像信号のカラー画像データをＧ，Ｒ，Ｂの順番で書込む。
ビデオRAMからの読出しは、第１、第２のビデオRAMから順番にカラー画像データを読み出し、該第１、第２のビデオRAMから読み出したカラー画像データで交互にディスプレイデバイスの６個の色ピクセルを駆動する。
【実施例１】
【００１１】
図１は本発明のビデオRAMのカラー画像書込方法の説明図である。ディスプレイデバイス１１とレンチキュラーレンズ２１は図４の従来方法と同一の構成になっている。
すなわち、ディスプレイデバイス１１は、図３に示すようにピクセル１２が行および列方向に連続的に配列されており、各ピクセルは、第1のサブピクセル１２ａと第2のサブピクセル１２ｂとで構成され、更に、各サブピクセルは赤、緑、青の色ピクセル１３Ｒ，１３Ｇ，１３Ｂでそれぞれ構成され、1ピクセルは6個の色ピクセルで構成されている。第１サブピクセル１２ａの赤、青の色ピクセル１３Ｒ，１３Ｂと第２サブピクセル１２ｂの緑の色ピクセル１３Ｇは第１画像信号のカラー画像データにより駆動され、第１サブピクセル１２ａの緑の色ピクセル１３Ｇと第２サブピクセル１２ｂの赤、青の色ピクセル１３Ｒ，１３Ｂは第２画像信号のカラー画像データにより駆動され、1ピクセル毎にこれら色ピクセルが左方向からＲ，Ｇ，Ｂ，Ｒ，Ｇ，Ｂの順番に駆動され、スクリーン全体でラスタスキャンされるようになっている。
【００１２】
レンチキュラーレンズ２１は、２つの色ピクセルを組にしたとき、左側観察者(助手席搭乗者)が左のピクセルを見ることができるように、右側観察者(助手席搭乗者)が右のピクセルを見ることができるように作用する。
第１のＲＧＢデコーダ５１は第１画像発生部（DVD映像発生部）５０から出力するＤＶＤ映像信号をデコードしてピクセル毎にＲ，Ｇ，Ｂの8ビットのカラー画像データを発生し、書込み部５２は該カラー画像データをピクセル毎にＲ，Ｂ，Ｇの順番でビデオRAM５３に書込み、全体的にラスタースキャン順に書込む。すなわち、書込み部５２は、1ピクセルを構成する６個の色ピクセルのうち、ＤＶＤ画像信号により駆動される色ピクセルの色順（Ｒ，Ｂ，Ｇ）で、ビデオRAM５３の各ピクセルにＤＶＤ映像信号のカラー画像データを書込む。
【００１３】
第２のＲＧＢデコーダ６１は第２画像発生部（ナビゲーション映像発生部）６０から出力するナビゲーション映像信号をデコードしてピクセル毎にＲ，Ｇ，Ｂの8ビットのカラー画像データを発生し、書込み部６２は該カラー画像データをピクセル毎にＧ，Ｒ，Ｂの順番でビデオRAM６３に書込み、全体的にラスタースキャン順に書込む。すなわち、書込み部６２は、1ピクセルを構成する６個の色ピクセルのうち、ナビゲーション画像信号により駆動される色ピクセルの色順（Ｇ，Ｒ，Ｂ）で、ビデオRAM６３の各ピクセルにナビゲーション映像信号のカラー画像データを書込む。
並び替部７０は第１、第２のビデオRAM読取部５４，６４を制御し、ピクセル毎に丸付き数字の番号が示すように順番にビデオRAM５３，６３から交互に読み出して図示しない駆動部により表示体１１の１ピクセル当り6個のカラー画像データを左側の色ピクセルから順番に駆動し、表示体２１の全ピクセルをラスタースキャンにより駆動する。
以上のように、本発明によれば、第１、第２のビデオRAM５３，６３から順番にカラー画像データを読み出し、該第１、第２のビデオRAMから読み出したカラー画像データにより交互にディスプレイデバイスの６個の色ピクセルを駆動するようにしているため、第１、第２のVRAM読取部５４，６４は読出しアドレスを順番に発生すれば良く、読出し制御を簡単でき、結果的に簡単なハードウェア構成で２つのビデオRAMから交互にデータを読み取ってラスタースキャン駆動ができる。
【図面の簡単な説明】
【００１４】
【図１】本発明のビデオRAMのカラー画像書込方法の説明図である。
【図２】２種類の映像を、同時に同一画面に表示する表示装置の説明図である。
【図３】カラー表示体のピクセル構成説明図である。
【図４】従来の２種類の映像を同時に表示する表示装置の構成図である。
【符号の説明】
【００１５】
１１  ディスプレイデバイス
１２  ピクセル
２１  レンチキュラーレンズ
５０  第１画像発生部（DVD映像発生部）
５１  第１のＲＧＢデコーダ
５２  書込み部
５３  第１のビデオRAM
５４  第１ビデオRAM(VRAM)読取部
６０  第２画像発生部（ナビゲーション映像発生部）
６１  第２のＲＧＢデコーダ
６２  書込み部
６３  第２のビデオRAM
６４  第２ビデオRAM(VRAM)読取部
７０  並び替部７０
【図１】
2006163029.tif 000003
【図２】
2006163029.tif 000004
【図３】
2006163029.tif 000005
【図４】
2006163029.tif 000006